(57)【特許請求の範囲】
【請求項１】
一定周期でウォブリングした情報トラックを有する情報記録媒体に対して光を照射することにより情報の記録を行う光ディスク装置であって、フィルタ回路を有して前記情報トラックのウォブリングに基づくウォブル信号を検出してＡＤＩＰ情報を復調するウォブル信号検出回路を備える光ディスク装置において、
前記ウォブル信号が入力される前記フィルタ回路の入出力信号間の位相差を検出する位相差検出手段と、
検出された位相差に応じて前記ＡＤＩＰ情報中に含まれる同期信号に同期した記録開始タイミング信号の位相を調整する調整手段と、
を備えることを特徴とする光ディスク装置。
【請求項２】
前記ウォブル信号が入力される前記フィルタ回路の入出力信号間の振幅比を検出する振幅比検出手段を備え、
前記位相差検出手段は、検出された前記振幅比に基づき前記フィルタ回路の入出力信号間の位相差を検出する、ことを特徴とする請求項１記載の光ディスク装置。
【請求項３】
前記調整手段は、前記同期信号の位相を検出された位相差に応じて遅延させることにより前記記録開始タイミング信号の位相を調整する、ことを特徴とする請求項１又は２記載の光ディスク装置。
【請求項４】
前記フィルタ回路は、前記ウォブル信号が帯域通過フィルタを通過する第１の経路と、前記ウォブル信号が高域通過フィルタ及び低域通過フィルタを通過する第２の経路をと有し、
前記位相差検出手段は、前記第２の経路の入出力信号間の位相差を検出する、ことを特徴とする請求項１ないし３の何れか一記載の光ディスク装置。
【請求項５】
前記フィルタ回路は、前記ウォブル信号が帯域通過フィルタを通過する第１の経路と、前記ウォブル信号が高域通過フィルタ及び低域通過フィルタを通過する第２の経路をと有し、
前記位相差検出手段は、前記第１の経路の入出力信号間の位相差を検出する、ことを特徴とする請求項１ないし３の何れか一記載の光ディスク装置。
【請求項６】
前記位相差検出手段は、一定タイミング毎に検出動作を実行する、ことを特徴とする請求項１ないし５の何れか一記載の光ディスク装置。
【請求項７】
前記位相差検出手段は、ＣＡＶ方式での再生動作から記録動作への移行時に検出動作を実行する、ことを特徴とする請求項１ないし６の何れか一記載の光ディスク装置。
【請求項８】
一定周期でウォブリングした情報トラックを有する情報記録媒体に対して光を照射してウォブリングした前記情報トラックのウォブリングに基づくウォブル信号を検出してＡＤＩＰ情報を復調するフィルタ回路を有するウォブル信号検出回路を備える光ディスク装置を用いて前記情報記録媒体に対して情報の記録を行う情報記録方法において、
前記情報記録媒体の前記情報トラックのウォブリングに基づくウォブル信号を取得して前記フィルタ回路に入力させる信号入力工程と、
前記ウォブル信号が入力される前記フィルタ回路の入出力信号間の位相差を検出する位相差検出工程と、
検出された位相差に応じて前記ＡＤＩＰ情報中に含まれる同期信号に同期した記録開始タイミング信号の位相を調整する調整工程と、
を備えることを特徴とする情報記録方法。
【請求項９】
前記ウォブル信号が入力される前記フィルタ回路の入出力信号間の振幅比を検出する振幅比検出工程を備え、
前記位相差検出工程では、検出された前記振幅比に基づき前記フィルタ回路の入出力信号間の位相差を検出する、ことを特徴とする請求項８記載の情報記録方法。
【請求項１０】
前記調整工程では、前記同期信号の位相を検出された位相差に応じて遅延させることにより前記記録開始タイミング信号の位相を調整する、ことを特徴とする請求項８又は９記載の情報記録方法。
【請求項１１】
前記ウォブル信号が帯域通過フィルタを通過する第１の経路と、前記ウォブル信号が高域通過フィルタ及び低域通過フィルタを通過する第２の経路とを有する前記フィルタ回路を用い、
前記位相差検出工程では、前記第２の経路の入出力信号間の位相差を検出する、ことを特徴とする請求項８ないし１０の何れか一記載の情報記録方法。
【請求項１２】
前記ウォブル信号が帯域通過フィルタを通過する第１の経路と、前記ウォブル信号が高域通過フィルタ及び低域通過フィルタを通過する第２の経路とを有する前記フィルタ回路を用い、
前記位相差検出工程では、前記第１の経路の入出力信号間の位相差を検出する、
ことを特徴とする請求項８ないし１０の何れか一記載の情報記録方法。
【請求項１３】
前記位相差検出工程は、一定タイミング毎に検出動作を実行する、ことを特徴とする請求項８ないし１２の何れか一記載の情報記録方法。
【請求項１４】
前記位相差検出工程は、ＣＡＶ方式での再生動作から記録動作への移行時に検出動作を実行する、ことを特徴とする請求項８ないし１３の何れか一記載の情報記録方法。
【請求項１５】
一定周期でウォブリングした情報トラックを有する情報記録媒体に対して光を照射し、当該情報記録媒体で反射された光を受光しその受光量に応じた受光信号を出力する光ピックアップと、前記受光信号から前記情報トラックのウォブリングに基づくウォブル信号からノイズを除去するフィルタ回路と、前記ウォブル信号に含まれる同期信号を検出する同期検出器と、前記同期信号に基づいて記録開始タイミングを決定するエンコーダと、前記同期信号の位相をずらして前記エンコーダに入力させる位相調整回路と、を備え、前記情報記録媒体に情報の記録を行う光ディスク装置であって、
前記フィルタ回路から出力された信号と前記フィルタ回路に入力される前の信号の位相を比較する手段と、
この比較結果に基づいて前記位相調整回路による前記同期信号の位相ずらし量を調整する手段と、
を備えることを特徴とする光ディスク装置。
【発明の詳細な説明】
【技術分野】
【０００１】
本発明は、ウォブル信号検出回路を備える光ディスク装置及び情報記録方法に関する。
【背景技術】
【０００２】
ＤＶＤ＋Ｒ，ＤＶＤ＋ＲＷ等の光ディスクでは、一定周期でウォブリング（蛇行）させた情報トラックを有し、そのトラックは位相変調方式（ＰＳＫ方式＝Phase Shift Keying）で予め光ディスクの基板上に螺旋状に形成されたものが使用されている。
【０００３】
このようなＤＶＤ＋Ｒ，ＤＶＤ＋ＲＷ等の光ディスクの反射光を受光する受光素子、例えば、４分割受光素子の受光信号に基づきウォブル信号を検出・作成してＡＤＩＰ（Address In Pre-groove）情報等の作成に供するウォブル信号検出回路には、図１５に示すような回路が用いられている。図示例のウォブル信号検出回路は、４分割受光素子の各々の受光素子領域から得られる電圧信号ＶＡ〜ＶＤに基づきデジタルウォブル信号とアナログウォブル信号とを生成するまでの前半部分のみを示している。
【０００４】
まず、各電圧信号ＶＡ〜ＶＤを各々サンプルホールド回路（Ｓ／Ｈ）１００により個別にサンプルホールドし、ＶＡ，ＶＣ、ＶＢ，ＶＣを各々加算器１０１で加算した後、乗算器１０２で０．５倍処理して、０．５×（ＶＡ＋ＶＣ），０．５×（ＶＢ＋ＶＣ）なる演算を行う。この後、バランスＡＧＣ回路１０３により０．５×（ＶＡ＋ＶＣ）と０．５×（ＶＢ＋ＶＣ）との振幅バランスをとり、減算器１０４により０．５×（ＶＡ＋ＶＣ）−０．５×（ＶＢ＋ＶＣ）なる演算を行い、フィルタ回路１０５に入力する。このフィルタ回路１０５は、ＢＰＦ（帯域通過フィルタ）１０６によるデジタルウォブル信号用のＢＰＦ経路と、ＨＰＦ（高域通過フィルタ）１０７とＬＰＦ（低域通過フィルタ）１０８とによるアナログウォブル信号用のＨＰＦ＋ＬＰＦ経路とからなる。ＢＰＦ１０６の出力側には例えばコンパレータを用いた２値化器１０９が設けられている。
【０００５】
ここで、問題となっているのが、ＨＰＦ＋ＬＰＦ経路のＬＰＦ１０８部のカットオフ周波数ｆｃのバラツキである。ＬＰＦ１０８のカットオフ周波数ｆｃの精度を出すのは厳しく、量産時には、回路間でのばらつきが目立ってしまう。このカットオフ周波数ｆｃがばらつくと、図１６に示すように、その高低に応じて、アナログウォブル信号の位相も理想的な位相（実線）から前後にずれることになる。ＤＶＤ＋ＲＷ等の光ディスクに情報を記録する時はアナログウォブル信号を基準に記録開始位置が設定されるので、アナログウォブル信号の位相がずれると、図１７（ｂ）に示すように、記録開始位置も最適位置からずれてしまうことになる。
【０００６】
この問題を解決するために、例えば、特許文献１によれば、記録済みディスクに上書きする場合は、記録済み部からの再生データをクロック生成装置への基準信号として用いる。そして、新たに情報を記録する領域では、記録済み部に記録されているクロック生成用信号に、予め切り替えてクロック位相をあわせ、記録開始位置を最適値に設定する、という方法が提案されている。
【０００７】
特許文献１以外の方法としては、14Ｔシンクフレーム部に６Ｔのミラー部（ライトできなくて反射率が高い部分）を設けたディスク（以下、ミラーディスクとする）を用い、最適記録位置に調整する方法がある。この調整方法は、ミラーディスクに１ＥＣＣ（ＤＶＤの１記録ブロック）ずつ記録し、記録し終わった後、そのディスクをリードしてＲＦ信号波形を観測する（図１８参照）。そして、ＲＦ信号の１４Ｔ部中心とミラー部中心の位相差から、最適記録位置を求める（１４Ｔ中心とミラー部中心とが一致したら記録開始位置は最適な状態)。その後、位相差に応じて、記録開始位置設定パラメータ（以下、timesetとする。図１９参照。)Ｐ１，Ｐ２又はＰ３を設定して調整する。つまり、ウォブル信号に位相遅れが生じてもtimesetを調整することにより記録開始位置を最適にすることができる。
【０００８】
【特許文献１】特開２０００−１７３０５５公報
【発明の開示】
【発明が解決しようとする課題】
【０００９】
しかし、特許文献１の場合、既に記録部がある光ディスクにしか適用できない。また、正しい記録開始位置で記録されている光ディスクの場合は良いが、正しい記録開始位置で記録されていない記録部を持った光ディスクの場合は、誤った記録開始位置から記録を開始してしまうことになる。
【００１０】
また、後者の場合の調整方法は、特殊なディスクを用いなければいけないので、コストアップになってしまう。また、ディスクに実際に記録して、実際に再生して、ＲＦ信号の状態を確認しなければいけないので、調整にかかる時間も大幅に増加する。
【００１１】
また、フィルタ回路内に関しても、例えば、ＬＰＦのカットオフ周波数ｆｃのばらつきに起因してアナログウォブル信号とデジタルウォブル信号との間の位相関係にもばらつきが生ずると、乗算処理等がうまくいかず、適正なＡＤＩＰ情報が得られなくなってしまう。この結果、アドレス情報や同期信号にも悪影響を及ぼしてしまう。
【００１２】
本発明の目的は、事前に調整工程等を行うことなく、フィルタ回路での位相ずれによる悪影響を自動的に防止できる光ディスク装置及び情報記録方法を提供することである。
【００１３】
より具体的には、フィルタ回路での位相ずれの影響を受けることなく、記録開始位置を最適位置に調整すること、或いは、最適な状態でＡＤＩＰ情報を復調することができる光ディスク装置及び情報記録方法を提供することである。
【課題を解決するための手段】
【００１４】
請求項１記載の発明は、一定周期でウォブリングした情報トラックを有する情報記録媒体に対して光を照射することにより情報の記録を行う光ディスク装置であって、フィルタ回路を有して前記情報トラックのウォブリングに基づくウォブル信号を検出してＡＤＩＰ情報を復調するウォブル信号検出回路を備える光ディスク装置において、前記ウォブル信号が入力される前記フィルタ回路の入出力信号間の位相差を検出する位相差検出手段と、検出された位相差に応じて前記ＡＤＩＰ情報中に含まれる同期信号に同期した記録開始タイミング信号の位相を調整する調整手段と、を備える。
【００１５】
請求項２記載の発明は、請求項１記載の光ディスク装置において、前記ウォブル信号が入力される前記フィルタ回路の入出力信号間の振幅比を検出する振幅比検出手段を備え、前記位相差検出手段は、検出された前記振幅比に基づき前記フィルタ回路の入出力信号間の位相差を検出する。
【００１６】
請求項３記載の発明は、請求項１又は２記載の光ディスク装置において、前記調整手段は、前記同期信号の位相を検出された位相差に応じて遅延させることにより前記記録開始タイミング信号の位相を調整する。
【００１７】
請求項４記載の発明は、請求項１ないし３の何れか一記載の光ディスク装置において、前記フィルタ回路は、前記ウォブル信号が帯域通過フィルタを通過する第１の経路と、前記ウォブル信号が高域通過フィルタ及び低域通過フィルタを通過する第２の経路とを有し、前記位相差検出手段は、前記第２の経路の入出力信号間の位相差を検出する。
【００１８】
請求項５記載の発明は、請求項１ないし３の何れか一記載の光ディスク装置において、前記フィルタ回路は、前記ウォブル信号が帯域通過フィルタを通過する第１の経路と、前記ウォブル信号が高域通過フィルタ及び低域通過フィルタを通過する第２の経路をと有し、前記位相差検出手段は、前記第１の経路の入出力信号間の位相差を検出する。
【００２１】
請求項６記載の発明は、請求項１ないし５の何れか一記載の光ディスク装置において、前記位相差検出手段は、一定タイミング毎に検出動作を実行する。
【００２２】
請求項７記載の発明は、請求項１ないし６の何れか一記載の光ディスク装置の調整装置において、前記位相差検出手段は、ＣＡＶ方式での再生動作から記録動作への移行時に検出動作を実行する。
【００２３】
請求項８記載の発明は、一定周期でウォブリングした情報トラックを有する情報記録媒体に対して光を照射してウォブリングした前記情報トラックのウォブリングに基づくウォブル信号を検出してＡＤＩＰ情報を復調するフィルタ回路を有するウォブル信号検出回路を備える光ディスク装置を用いて前記情報記録媒体に対して情報の記録を行う情報記録方法において、前記情報記録媒体の前記情報トラックのウォブリングに基づくウォブル信号を取得して前記フィルタ回路に入力させる信号入力工程と、前記ウォブル信号が入力される前記フィルタ回路の入出力信号間の位相差を検出する位相差検出工程と、検出された位相差に応じて前記ＡＤＩＰ情報中に含まれる同期信号に同期した記録開始タイミング信号の位相を調整する調整工程と、を備える。
【００２４】
請求項９記載の発明は、請求項８記載の情報記録方法において、前記ウォブル信号が入力される前記フィルタ回路の入出力信号間の振幅比を検出する振幅比検出工程を備え、前記位相差検出工程では、検出された前記振幅比に基づき前記フィルタ回路の入出力信号間の位相差を検出する。
【００２５】
請求項１０記載の発明は、請求項８又は９記載の情報記録方法において、前記調整工程では、前記同期信号の位相を検出された位相差に応じて遅延させることにより前記記録開始タイミング信号の位相を調整する。
【００２６】
請求項１１記載の発明は、請求項８ないし１０の何れか一記載の情報記録方法において、前記ウォブル信号が帯域通過フィルタを通過する第１の経路と、前記ウォブル信号が高域通過フィルタ及び低域通過フィルタを通過する第２の経路とを有する前記フィルタ回路を用い、前記位相差検出工程では、前記第２の経路の入出力信号間の位相差を検出する。
【００２７】
請求項１２記載の発明は、請求項８ないし１０の何れか一記載の情報記録方法において、前記ウォブル信号が帯域通過フィルタを通過する第１の経路と、前記ウォブル信号が高域通過フィルタ及び低域通過フィルタを通過する第２の経路とを有する前記フィルタ回路を用い、前記位相差検出工程では、前記第１の経路の入出力信号間の位相差を検出する。
【００３０】
請求項１３記載の発明は、請求項８ないし１２の何れか一記載の情報記録方法において、前記位相差検出工程は、一定タイミング毎に検出動作を実行する。
【００３１】
請求項１４記載の発明は、請求項８ないし１３の何れか一記載の情報記録方法において、前記位相差検出工程は、ＣＡＶ方式での再生動作から記録動作への移行時に検出動作を実行する。
【００３２】
請求項１５記載の発明は、一定周期でウォブリングした情報トラックを有する情報記録媒体に対して光を照射し、当該情報記録媒体で反射された光を受光しその受光量に応じた受光信号を出力する光ピックアップと、前記受光信号から前記情報トラックのウォブリングに基づくウォブル信号からノイズを除去するフィルタ回路と、前記ウォブル信号に含まれる同期信号を検出する同期検出器と、前記同期信号に基づいて記録開始タイミングを決定するエンコーダと、前記同期信号の位相をずらして前記エンコーダに入力させる位相調整回路と、を備え、前記情報記録媒体に情報の記録を行う光ディスク装置であって、前記フィルタ回路から出力された信号と前記フィルタ回路に入力される前の信号の位相を比較する手段と、この比較結果に基づいて前記位相調整回路による前記同期信号の位相ずらし量を調整する手段と、を備える。
【発明の効果】
【００３５】
本発明によれば、ウォブル信号が入力されるフィルタ回路の入出力信号間の位相差を検出し、検出された位相差に応じて同期信号に同期した記録開始タイミング信号の位相を調整するようにしたので、フィルタ回路における位相ずれの影響を受けることなく、最適な記録開始位置から記録動作を行わせることができる。
【００３６】
また、本発明によれば、ウォブル信号が入力される帯域フィルタ経路の入出力信号間の位相差と高域通過フィルタ及び低域通過フィルタの経路の入出力信号間の位相差とを各々検出し、これらの帯域フィルタ経路と高域通過フィルタ及び低域通過フィルタの経路との位相を一致させるように位相を調整するので、最適な状態でＡＤＩＰ情報を復調させることができる。
【００３７】
特に、これらの検出・調整動作を一定タイミング毎に行わせることにより、急な電源電圧変動や温度変化等の影響を受けることなく、常に最適な記録開始位置から記録動作を行わせることや、最適な状態でＡＤＩＰ情報を復調させることができる。また、ＣＡＶ（角速度一定）方式での再生時には再生速度が変化するので、ウォブル信号の周波数も当然変化し最適な調整値も変化することとなるが、ＣＡＶ方式での再生から記録動作への移行時にこれらの検出・調整動作を行わせることにより、最適な記録開始位置から記録動作を行わせることや、最適な状態でＡＤＩＰ情報を復調させることができる。
【発明を実施するための最良の形態】
【００３８】
本発明を実施するための最良の形態について、図１ないし図１４に基づいて説明する。本実施の形態は、情報の記録が可能な例えばＤＶＤ＋ＲＷ等のような光ディスク（情報記録媒体）１を対象としウォブル信号検出回路を備える光ディスク装置への適用例を示す。また、光ディスク１に関しては、図１（ａ）に示すように、一定周期でウォブリング（蛇行）させた情報トラック２を有し、その情報トラック２図１（ｂ）に示すように位相変調方式（ＰＳＫ方式＝Phase Shift Keying）で予め光ディスク１の基板上に螺旋状に形成されたものが使用されている。図１（ａ）中、黒色で示す部分は記録マーク３の例である。
【００３９】
図２は、ウォブル信号検出回路を備える本実施の形態の光ディスク装置１０の構成例を示す概略図である。この光ディスク装置１０は、光ディスク１を回転駆動するためのスピンドルモータ１１、光ピックアップ装置１２、レーザコントロール回路１３、エンコーダ１４、モータドライバ１５、アナログ信号処理回路１６、デコーダ１７、サーボコントローラ１８、バッファＲＡＭ１９、Ｄ／Ａコンバータ２０、バッファマネージャ２１、インターフェース２２、ＲＯＭ２３、ＣＰＵ２４及びＲＡＭ２５などを備えている。なお、図２に示す矢印は、代表的な信号や情報の流れを示すものであり、各ブロックの接続関係の全てを表すものではない。
【００４０】
光ピックアップ装置１２は、光源としての半導体レーザ、この半導体レーザから出射される光束を光ディスク１の記録面に導くとともに、その記録面で反射された戻り光束を所定の受光位置まで導く光学系、受光位置に配置されて戻り光束を受光する受光器、及び゜駆動系（フォーカシングアクチュエータ、トラッキングアクチュエータ、シークモータ等）（何れも図示せず）等を内蔵している。
【００４１】
光ピックアップ装置１２中の受光器は、一例として、図３（ａ）に示すように、４分割受光素子３０（第１〜第４の受光素子３０ａ〜３０ｄ）を含んで構成されている。なお、図３（ａ）では、便宜上、紙面上下方向をＸ軸方向、紙面左右方向をＹ軸方向、紙面垂直方向をＺ軸方向とする。第１，２の受光素子３０ａ，３０ｂは、各々図３（ａ）における紙面左右方向（Ｙ軸方向）を長辺とする同一の長方形形状を有し、かつ、紙面上下方向（Ｘ軸方向）に隣接させて配置されている。また、第３，４の受光素子３０ｃ，３０ｄは、各々図３（ａ）における紙面上下方向（Ｘ軸方向）を長辺とする同一の長方形形状を有し、かつ、紙面左右方向（Ｙ軸方向）に隣接させて配置されている。
【００４２】
図３（ｂ）に示すように、光ディスク１の記録面からの反射光ＲＢは、光ピックアップ装置１２の光学系を構成するプリズム３１により２方向に分岐され、プリズム３１を透過した一方の反射光ＲＢ１は第１，２の受光素子３０ａ，３０ｂに照射される。また、プリズム３１により−Ｘ軸方向に分岐された他方の反射光ＲＢ２はさらに反射鏡３２により＋Ｚ方向にその進行方向が曲げられ、第３，４の受光素子３０ｃ，３０ｄに照射される。
【００４３】
ここで、図４（ａ）に示すように、反射光ＲＢのうち、図４（ａ）における紙面上側半分の反射光ＲＢａが第１の受光素子３０ａに照射され、紙面下側半分の反射光ＲＢｂが第２の受光素子３０ｂに照射される。また、図４（ｂ）に示すように、反射光ＲＢのうち、図４（ｂ）における紙面右側半分の反射光ＲＢｃが第３の受光素子３０ｃに照射され、紙面左側半分の反射光ＲＢｄが第４の受光素子３０ｄに照射される。これらの第１〜第４の受光素子３０ａ〜３０ｄの各々は、光電変換を行い、光電変換信号として、受光量に応じた電流（電流信号）をアナログ信号処理回路１６に出力する。
【００４４】
なお、受光器は、４分割受光素子３０に限定されるものではなく、例えば、第１，２の受光素子３０ａ，３０ｂを含む２分割受光素子構成、第３，４の受光素子３０ｃ，３０ｄを含む２分割受光素子構成等でもよく、或いは、第１〜第４の受光素子３０ａ〜３０ｄを１列に並設させた構成等でもよく、形状、配置等を含めて任意である。
【００４５】
図１に戻り、アナログ信号処理回路１６は、光ピックアップ装置１２の受光素子３０ａ〜３０ｄの出力信号である電流信号を電圧信号に変換するＩ／Ｖアンプ（電流−電圧変換アンプ）２６、ウォブル信号を検出するウォブル信号検出回路２７、再生情報を含むＲＦ信号を検出するＲＦ信号検出回路２８、及びフォーカスエラー信号やトラックエラー信号を検出するエラー信号検出回路２９等を備えている。
【００４６】
Ｉ／Ｖアンプ２６は、図５に示すように、第１〜第４の受光素子３０ａ〜３０ｄからの電流信号を電圧信号（信号Ｓａ〜Ｓｄ）に変換するＩ／Ｖアンプ２６ａ〜２６ｄを備えている。
【００４７】
また、ＲＦ信号検出回路２８では、これらの電圧信号Ｓａ〜Ｓｄを全て加算し、その加算結果をさらに２値化し、ＲＦ信号として検出する。
【００４８】
エラー信号検出回路２９では、電圧信号Ｒａ，Ｒｂの差分を求め、その結果を２値化し、フォーカスエラー信号として検出し、電圧信号Ｒｃ，Ｒｄの差分を求め、その結果を２値化し、トラックエラー信号として検出する。ここで検出されたこれらのフォーカスエラー信号及びトラックエラー信号は、各々エラー信号検出回路２９からサーボコントローラ１８に出力される。
【００４９】
ウォブル信号検出回路２７では、電圧信号Ｓｃ，Ｓｄに基づきウォブル信号を検出し、デコーダ１７に出力する。なお、このウォブル信号検出回路２７の構成等については後述する。
【００５０】
デコーダ１７では、ウォブル信号検出回路２７により検出されたウォブル信号に含まれるＡＤＩＰ情報からアドレス情報、同期信号等を抽出する。ここで抽出されたアドレス情報はＣＰＵ２４に出力され、同期信号はエンコーダ１４に出力される。
【００５１】
デコーダ１７では、また、ＲＦ信号検出回路２８により検出されたＲＦ信号に対して、復調及び誤り訂正処理等の再生処理を行う。さらに、デコーダ１７では、再生データが音楽データ以外（例えば、画像データや文書データ等）の場合に、データに付加されたチェックコードに基づいてエラーチェック及びエラー訂正処理を行い、バッファマネージャ２１を介してバッファＲＡＭ１９に格納する。
【００５２】
サーボコントローラ１８では、エラー信号検出回路２９により検出されたフォーカスエラー信号に基づいて光ピックアップ装置１２のフォーカシングアクチュエータを制御する制御信号を作成し、モータドライバ１５に出力する。また、サーボコントローラ１８では、エラー信号検出回路２９により検出されたトラックエラー信号に基づいて光ピックアップ装置１２のトラッキングアクチュエータを制御する制御信号を作成し、モータドライバ１５に出力する。
【００５３】
Ｄ／Ａコンバータ２０では、光ディスク１に記録されているデータが音楽データの場合に、デコーダ１７の出力信号をアナログデータに変換し、オーディオ信号とてオーディオ機器等に出力する。
【００５４】
バッファマネージャ２１では、バッファＲＡＭ１９へのデータの蓄積を管理し、蓄積されたデータ量が所定値になると、ＣＰＵ２４に通知する。
【００５５】
モータドライバ１５では、サーボコントローラ１８からの制御信号に基づいて、光ピックアップ装置１２のフォーカシングアクチュエータ及びトラッキングアクチュエータを駆動する。また、モータドライバ１５では、ＣＰＵ２４の指示に基づいて光ディスク１が線速度一定（ＣＬＶ方式）又は回転数一定（ＣＡＶ方式）となるようにスピンドルモータ１１を制御する。さらに、モータドライバ１５では、ＣＰＵ２４の指示に基づいてシークモータを駆動し、光ピックアップ装置１２のスレッジ方向（光ディスク１の半径方向）の位置を制御する。
【００５６】
エンコーダ１４では、バッファＲＡＭ１９に蓄積されているデータに対して、エラー訂正コードの付加等を行い、光ディスク１への書込みデータを作成する。そして、ＣＰＵ２４からの指示に基づいて、デコーダ１７からの同期信号に同期させて、書込みデータをレーザコントロール回路１３に出力する。
【００５７】
レーザコントロール回路１３では、エンコーダ１４からの書込みデータに基づいて、光ピックアップ装置１２中の半導体レーザの出力を制御する。そして、レーザコントロール回路１３では、記録中に、マーク記録期間とスペース記録期間とに同期したタイミング信号をウォブル信号検出回路２７に出力する。
【００５８】
インターフェース２２は、ホスト（例えば、パーソナルコンピュータ）との双方向の通信インターフェースであり、ＡＴＡＰＩ（At Attachment Packet Interface）、ＳＣＳＩ（Small Computer System Interface）等の標準インターフェースに準拠している。
【００５９】
ＣＰＵ２４では、ＲＯＭ２３に格納されているプログラムに従って上述したような各部の動作を制御するとともに、制御に必要なデータ等を一時的にＲＡＭ２５に保存する。
【００６０】
次に、ウォブル信号検出回路２７並びにその出力側の構成例について図６を参照して説明する。まず、Ｉ／Ｖアンプ２６ｃ，２６ｄからの電圧信号Ｓｃ，Ｓｄが入力されるサンプルホールド回路（Ｓ／Ｈ）４１ａ，４１ｂが設けられ、これらのＳ／Ｈ４１ａ，４１ｂの出力側にはサンプルホールド後の電圧信号Ｓｃ，Ｓｄの振幅のバランスをとるバランスＡＧＣ４２が設けられている。バランスＡＧＣ４２の出力側にはサンプルホールド後の電圧信号Ｓｃ，Ｓｄの差Ｓｃ−Ｓｄを演算する減算器４３が設けられている。この減算器４３の出力側にはフィルタ回路４４が設けられている。このフィルタ回路４４は、ＢＰＦ（帯域通過フィルタ）４５によるデジタルウォブル信号用のＢＰＦ経路と、ＨＰＦ（高域通過フィルタ）４６とＬＰＦ（低域通過フィルタ）４７とによるアナログウォブル信号用のＨＰＦ＋ＬＰＦ経路とからなる。ＢＰＦ４５の出力側には例えばコンパレータを用いた２値化器４８が設けられている。ＢＰＦ４５が通過を許す周波数帯域は、ウォブル信号の搬送波（ウォブル信号における位相変調部分以外の部分）の周波数、即ち、ウォブル信号の基本周波数近傍の限られた周波数帯域である。従って、ＢＰＦ４５によりウォブル信号から位相変調成分とノイズが低減されることとなり、ウォブル信号の搬送波成分相当の信号の作成を行いやすくなる。この搬送波成分相当の信号は、ＣＬＶ方式で光ディスク１を回転させた場合には一定の周波数となる。一方、ＨＰＦ４６及びＬＰＦ４７を通過した信号は高周波ノイズ成分及び低周波ノイズ成分が除去されたウォブル信号となる。なお、ＬＰＦ４７のみでＡＤＩＰ情報を取得するための許容範囲までノイズを除去できる場合には、ＨＰＦ４６を省略してもよい。
【００６１】
２値化器４８から得られるデジタルウォブル信号に対してはその周期の安定化のためのＰＬＬ回路４９とタイミング調整用の遅延回路（delay）５０とが順に設けられ、さらに、デジタルウォブル信号と同位相の正弦波（sin波）を生成するsin波発生回路５１が設けられている。
【００６２】
一方、ＬＰＦ４７から得られるアナログウォブル信号をデジタルデータに変換するＡ／Ｄコンバータ５２が設けられている。このＡ／Ｄコンバータ５２によりＡ／Ｄ変換されたアナログウォブル信号と正弦波に変換されたデジタルウォブル信号とを乗算する乗算器５３が設けられている。この乗算器５３の出力側には乗算結果を積分する積分器５４が設けられている。この積分器５４はＰＬＬ回路４９出力（遅延回路５０出力）に同期したタイミング信号を生成出力するタイミング回路５５からのリセット信号によりウォブルの１周期単位でリセットされるように設定されている。
【００６３】
積分器５４の出力側にはサンプルホールド回路（Ｓ／Ｈ）５６を介してＡＤＩＰ情報検出器５７が設けられている。
【００６４】
このＡＤＩＰ情報検出器５７には、デコーダ１７が接続されている。このデコーダ１７はＡＤＩＰ情報に基づき同期信号ＡＤＩＰsyncを検出（ウォブル信号の位相変調を検出）する同期検出器６１と、エラー訂正処理を行うエラー訂正部６２とエラー訂正後のＡＤＩＰ情報に基づきアドレス情報を抽出するアドレス情報抽出部６３とを有する。
【００６５】
同期検出器６１により検出された同期信号ＡＤＩＰsyncは、入力信号の位相をずらして出力する位相調整回路である遅延回路６４を通過した後、エンコーダ１４に入力され、ライトタイミング信号（記録開始タイミング信号）の生成に供される。このエンコーダ１４にはＣＰＵ２４から所定タイミングでライト命令（又は、リード命令）も入力されるもので、レーザコントロール回路１３はライト命令がある状態でライトタイミング信号が生成されると記録動作を開始するように設定されている。
【００６６】
このような構成において、ウォブル信号検出回路２７付近での信号処理例の概略を図７に示す波形図を参照して説明する。まず、Ｉ／Ｖアンプ２６ｃ，２６ｄの出力である電圧信号Ｓｃ，ＳｄはＳ／Ｈ４１ａ，４１ｂによりサンプルホールドされ、バランスＡＧＣ４２によりサンプルホールド後の振幅バランスがとられ、減算器４３によってＳｃ（Ｓ／Ｈ後）−Ｓｄ（Ｓ／Ｈ後）なる演算が行われる。光ディスク１上のウォブル信号ＷＢＬ＝Ｓ１（図７（ａ）参照）は、実際には、そのままの状態で把握しきれないので、振幅バランス、演算処理後のＳｃ（Ｓ／Ｈ後）−Ｓｄ（Ｓ／Ｈ後）をメディア上のウォブル信号ＷＢＬ＝Ｓ１とする。このウォブル信号ＷＢＬ＝Ｓ１はフィルタ回路４４に入力され、一方では、ＨＰＦ４６とＬＰＦ４７との経路を経ることにより、図７（ｂ）に示すようなアナログウォブル信号Ｓ２が生成され、他方では、ＢＰＦ４５の経路を経ることにより、図７（ｃ）に示すようなウォブル信号Ｓ３が生成され、さらに、２値化器４８を通過することにより２値化されて図７（ｄ）に示すようなデジタルウォブル信号Ｓ４が生成される。
【００６７】
このデジタルウォブル信号Ｓ４は、所定の周期の安定した信号を発生させるためのＰＬＬ回路４９を通過し、位相調整回路である遅延回路５０によりdlyclockの遅延がかけられ、図７（ｅ）に示すようなデジタルウォブル信号Ｓ５としてsin波発生回路５１に入力される。sin波発生回路５１では図７（ｆ）に示すようにデジタルウォブル信号Ｓ５と同位相のsin波Ｓ６を生成する。
【００６８】
そして、Ａ／Ｄコンバータ５２によりＡ／Ｄ変換されたアナログウォブル信号Ｓ２と、sin波Ｓ６に変換されたデジタルウォブル信号とは乗算器５３により乗算され、図７（ｇ）に示すような乗算結果の信号Ｓ７は積分器５４により積分されて、図７（ｈ）に示すような積分結果信号Ｓ８が得られる。この積分結果信号Ｓ８は、Ｓ／Ｈ５６によりサンプルホールドされて図７（ｉ）に示すような信号Ｓ９としてＡＤＩＰ情報検出器５７に入力される。ＡＤＩＰ情報検出器５７ではこの信号Ｓ９に基づき図７（ｊ）に示すようなアドレス情報や同期信号を含むＡＤＩＰ情報Ｓ１０を検出する。このＡＤＩＰ情報Ｓ１０が入力されるデコーダ１７では、同期検出器６１が図７（ｋ）に示すようなＡＤＩＰ同期信号ＡＤＩＰsync＝Ｓ１１を出力する。ＡＤＩＰ同期信号ＡＤＩＰsync＝Ｓ１１は、入力信号の位相をずらして出力する位相調整回路である遅延回路６４を通過した後、ＡＤＩＰ同期信号ＡＤＩＰsync＝Ｓ１２となり、エンコーダ１４に入力される。エンコーダ１４ではこのＡＤＩＰ同期信号ＡＤＩＰsync＝Ｓ１２に基づきライトタイミング信号Ｓ１３を作成し、ＣＰＵ２４からのライト命令Ｓ１４とのＡＮＤ条件下で、レーザコントロール回路１３により記録を開始させる。
【００６９】
なお、同期信号ＡＤＩＰsyncとライトタイミング信号との間には、一定の時間間隔ｅがとられているものとする（例えば、16wbl周期＝32T×15等）。また、同期信号ＡＤＩＰsyncとライトタイミング信号とは、１ＡＤＩＰ時間（＝93wbl周期＝32T×93)毎に１回、Ｌ→Ｈ→Ｌとなり、１ＡＤＩＰ時間の先頭である位相変調部がＨになるものとする（図７中に示す＃０とする）。
【００７０】
このような動作において、フィルタ回路４４によるフィルタ処理前、即ち、信号Ｓ１の時点においては、位相復調等に影響するほどの位相ずれはない。しかし、フィルタ回路４４によるフィルタ処理後にあっては、例えば、ＬＰＦ４７部のカットオフ周波数ｆｃのバラツキに起因して、アナログウォブル信号の位相にずれを生じ、ライトタイミング信号Ｓ１３の発生タイミングにずれを生じ、記録開始位置が最適位置からずれてしまう可能性がある。図７（ｂ）中のａはＬＰＦ４７に起因する位相遅れを表している。
【００７１】
そこで、本実施の形態では、フィルタ回路４４における位相ずれに起因する記録開始位置のずれを最適位置に調整する調整機能を付加したものである。ウォブル信号検出回路２７の一部を抜粋して示す図８を参照すれば、本実施の形態では、光ディスク１からのウォブル信号Ｓ１が入力されるフィルタ回路４４、ここでは、ＨＰＦ４６とＬＰＦ４７との経路の入出力前後の信号の位相差を検出する位相差検出手段としての位相比較器６５が設けられ、例えば、図７（ｂ）中に示す位相遅れａに相当する位相差を検出するように構成されている。
【００７２】
一方、光ディスク装置１０にあっては、ライトタイミング信号Ｓ１３のタイミングに影響する同期信号ＡＤＩＰsync＝Ｓ１１の位相を適宜調整するための調整手段としての遅延回路(delay)６４が同期検出器６１・エンコーダ１４間に設けられており、遅延回路６４の遅延時間timeset（記録開始位置設定パラメータ）の設定により任意に位相調整できるように構成されている。ここに、ＨＰＦ４６とＬＰＦ４７との経路の入出力前後の信号の位相差と遅延時間timesetとの間には図９に示すような比例関係がある。なお、図９に示す比例関係は、例えばミラーディスクを１ＥＣＣずつ、timesetを変えながら記録し、その部分を再生する等の測定を行うことにより簡単に作成できるものであり、このような比例関係を予め求めておき、位相比較器６５により検出された位相差に応じて遅延回路６４の遅延時間timesetを調整設定することにより、ライトタイミング信号Ｓ１３のタイミングを最適化させることができる。
【００７３】
ここで、位相比較器６５により検出された位相差に基づく記録タイミングの調整設定の詳細について、実際の記録時の動作例で、図７の一部を抜粋して示す図１０を参照して説明する。図１０は、フィルタ回路４４中のＨＰＦ４６とＬＰＦ４７との経路での位相遅れａと、遅延回路６４による遅延量ｄとライトタイミング信号Ｓ１３との関係を示す波形図である。まず、ＨＰＦ４６とＬＰＦ４７との経路でアナログウォブル信号Ｓ２の位相が遅れた分＝位相遅れａだけ、同期検出器６１による同期信号ＡＤＩＰsync＝Ｓ１１の位相も遅れる。そして、timesetでの遅延量ｄだけ遅延回路６４による遅延処理後の同期信号ＡＤＩＰsync＝Ｓ１２の位相が遅れる。また、この同期信号ＡＤＩＰsync＝Ｓ１２とライトタイミング信号Ｓ１３との位相関係としては、一定間隔ｅの差があるものとする。また、規格では、ウォブル信号wblは９３周期で１かたまりであり、ライト開始タイミングをwbl#14＋24T（wbl#14は位相変調部wbl#0から数えて１５周期目の信号、ウォブル１周期＝32T）の位置に持ってくることが規定されている。ここに、24TはＲＦ信号の1T×24であり、例えば、ディスク回転速度が１倍相当時であれば1T≒38.5ns，２倍相当時であれば1T≒19.2ns，４倍相当時であれば1T≒9.6ns，…となる。なお、図７に示したように、検出されたウォブル信号は光ディスク１上の実際のウォブル信号に対して約１周期遅れているので、光ディスク１上ではほぼwbl#15＋24Tの位置から記録が開始されることとなる（図１５等の#15はこの意味である）。
【００７４】
この場合、
ａ＋ｄ＋ｅ＝wbl16周期＋24bit
＝16×32T＋24T
が成り立てば、ライトタイミング信号は規格通りということになる。従って、
ｄ＝16×32T＋24T−ａ−ｅ
となるように遅延時間timesetを調整設定すればよい。
【００７５】
このように、本実施の形態によれば、光ディスク装置１０においてフィルタ回路４４の入力側に光ディスク１の情報トラック２から得られるウォブル信号Ｓ１を入力させ、その時のＨＰＦ４６とＬＰＦ４７との経路の入出力前後の信号の位相差を位相比較器６５により検出し、検出された位相差に応じて遅延回路６４の遅延時間timesetを調整することにより、ライトタイミング信号のタイミングが最適となるようにしたので、フィルタ回路４４における位相ずれの影響を受けることなく、最適な記録開始位置から記録動作を行わせることができる。特に、これらの検出・調整動作を一定タイミング毎に行わせることにより、急な電源電圧変動や温度変化等の影響を受けることなく、常に最適な記録開始位置から記録動作を行わせることができる。また、ＣＡＶ（角速度一定）方式での再生時には再生速度が変化するので、ウォブル信号の周波数も当然変化し最適な調整値も変化することとなるが、ＣＡＶ方式での再生から記録動作への移行時にこれらの検出・調整動作を行わせることにより、最適な記録開始位置から記録動作を行わせることができる。
【００７６】
なお、本実施の形態では、位相比較器６５により、ＨＰＦ４６＋ＬＰＦ４７経路の入出力前後の信号の位相差を検出するようにしたが、一つの別の実施の形態としては、ＢＰＦ４５の入出力前後の信号の位相差を検出し、検出された位相差に応じて遅延回路６４の遅延量timesetを調整設定するようにしてもよい。この場合には、デジタルウォブル信号の位相に合わせてアナログウォブル信号の位相を調整することとなる。
【００７７】
また、本実施の形態では、フィルタ回路４４の入出力前後の信号の位相差を位相比較器６５により直接的に検出するようにしたが、一つの別の実施の形態としては、例えば図１１に示すように、情報トラック２に基づくウォブル信号Ｓ１を入力させた場合のＨＰＦ４６＋ＬＰＦ４７経路の入出力前後の信号の振幅比ａ′（＝ＨＰＦ４６＋ＬＰＦ４７経路の出力振幅／ＨＰＦ４６＋ＬＰＦ４７経路の入力振幅）を振幅比較器（振幅比検出手段）６６により検出し、この振幅比ａ′に基づいて位相差検出器（位相差検出手段）６７により位相差（位相遅れ）ａを検出し、遅延回路６４の遅延時間timesetを調整するようにしてもよい。この場合、ＬＰＦ４７のフィルタ特性を予め測定し、そのフィルタ特性に応じた振幅比と位相遅れとの関係を制御プログラム中に書き込んでおき、位相差検出器６７においてこの関係を利用して振幅比ａ′から位相差ａを求めるようにすればよい。
【００７８】
本発明の別の実施の形態を図１２及び図１３に基づいて説明する。本実施の形態では、光ディスク装置１０において、フィルタ回路４４における位相ずれに起因するＡＤＩＰ情報の復調特性の悪さを解消するような調整機能を付加したものである。図１２では、ウォブル信号検出回路２７中の関係部分のみを抽出して示す。
【００７９】
本実施の形態では、情報トラック２のウォブリングに基づき取得されるウォブル信号Ｓ１をフィルタ回路４４に入力させた場合に、その時のＨＰＦ４６＋ＬＰＦ４７経路の入出力前後の信号の位相差ａを検出する位相差検出器（位相差検出手段）６５ａを設けるとともに、ＢＰＦ４５経路の入出力前後の信号の位相差ｂを検出する位相差検出器（位相差検出手段）６５ｂを設け、これらの位相比較器６５ａ，６５ｂの検出結果に基づいて両経路の位相が一致するようにＰＬＬ回路４９の後段に設けられた調整手段としての遅延回路５０の遅延時間dlyclockを調整するようにしたものである。
【００８０】
図１３はフィルタ処理前のウォブル信号Ｓ１の位相とＬＰＦ４７等を経たアナログウォブル信号Ｓ２の位相とＢＰＦ４５を経たデジタルウォブル信号Ｓ３（２値化回路４８によるデジタル化前）の位相との関係を示す波形図である。ＨＰＦ４６＋ＬＰＦ４７経路ではアナログウォブル信号Ｓ２の位相がａだけ遅れる。ＢＰＦ４５経路ではデジタルウォブル信号Ｓ３の位相がｂだけ遅れる。そして、sin波発生回路５１によりsin波状のデジタルウォブル信号を作成する前に、遅延回路５０に設定した遅延時間dlyclockによりｃ相当の位相遅れを持たせることができる（図７等参照）。ここに、ＡＤＩＰ復調時には、sin波＝Ｓ６とアナログウォブル信号Ｓ２とが乗算器５３により乗算されるため、乗算後の振幅が高いほどＡＤＩＰ情報が復調できている、ということになる。そのためには、sin波とアナログウォブル信号との位相関係が同位相になっていることが必要となる。
【００８１】
従って、
ａ＝ｂ＋ｃ
が成り立つ時、アナログウォブル信号とデジタルウォブル信号との位相関係が最も同位相となり、最も正確なＡＤＩＰ復調が可能となる。よって、位相比較器６５ａ，６５ｂの検出結果に基づき、
ｃ＝ａ−ｂ
となるように、遅延回路５０の遅延時間dlyclockを調整すればよいものとなる。
【００８２】
このように、本実施の形態によれば、光ディスク装置１０において、フィルタ回路４４に光ディスク１の情報トラック２のウォブリングに基づき取得されるウォブル信号Ｓ１を入力させた場合のＨＰＦ４６とＬＰＦ４７との経路の入出力前後の信号の位相差、ＢＰＦ４５の経路の位相差を各々位相比較器６５ａ，６５ｂにより検出し、検出された位相差に基づき両経路の位相が同位相となるように遅延回路５０の遅延時間dlyclockを調整することで、ＡＤＩＰ復調を最適に行えるようにしたので、最適な状態でＡＤＩＰ情報を復調させることができる。
【００８３】
特に、これらの検出・調整動作を一定タイミング毎に行わせることにより、急な電源電圧変動や温度変化等の影響を受けることなく、常に最適な状態でＡＤＩＰ情報を復調させることができる。また、ＣＡＶ（角速度一定）方式での再生時には再生速度が変化するので、ウォブル信号の周波数も当然変化し最適な調整値も変化することとなるが、ＣＡＶ方式での再生から記録動作への移行時にこれらの検出・調整動作を行わせることにより、最適な状態でＡＤＩＰ情報を復調させることができる。
【００８４】
なお、本実施の形態では、フィルタ回路４４の各々の経路の入出力前後の信号の位相差を位相比較器６５ａ，６５ｂにより直接的に検出するようにしたが、一つの別の実施の形態としては、例えば図１４に示すように、情報トラック２に基づくウォブル信号Ｓ１を入力させた場合のＨＰＦ４６＋ＬＰＦ４７経路の入出力前後の信号の振幅比ａ′（＝ＨＰＦ４６＋ＬＰＦ４７経路の出力振幅／ＨＰＦ４６＋ＬＰＦ４７経路の入力振幅）を振幅比較器（振幅比検出手段）６６ａにより検出し、この振幅比ａ′に基づいて位相差検出器（位相差検出手段）６７ａにより位相差（位相遅れ）ａを検出する一方、ＢＰＦ４５経路の入出力信号間の振幅比ｂ′（＝ＢＰＦ４５経路の出力振幅／ＢＰＦ４５経路の入力振幅）を振幅比較器（振幅比検出手段）６６ｂにより検出し、この振幅比ｂ′に基づいて位相差検出器（位相差検出手段）６７ｂにより位相差（位相遅れ）ｂを検出し、これらの位相差ａ，ｂに基づきａ＝ｂ＋ｃとなるように、遅延回路６４の遅延時間timesetを調整するようにしてもよい。この場合、ＬＰＦ４７、ＢＰＦ４５のフィルタ特性を予め測定し、そのフィルタ特性に応じた振幅比と位相遅れとの関係を制御プログラム中に書き込んでおき、位相差検出器６７ａ，６７ｂにおいてこの関係を利用して振幅比ａ′，ｂ′から位相差ａ，ｂを求めるようにすればよい。
【００８５】
なお、ＢＰＦ４５による位相遅れをｂとしたとき、図７等では、ＬＰＦ４７側の位相遅れａが位相遅れｂよりも大きい場合の例で示しているが、これに限らず、ＢＰＦ４５、ＨＰＦ４６、ＬＰＦ４７の特性によっては逆、即ち、位相遅れｂの方が位相遅れａよりも大きい場合もあり得る。このような場合には、ｃ＝ｂ−ａとなる位相遅れ（即ち、この場合には位相進みとなる）だけ、デジタルウォブル信号Ｓ４の位相をずらすようにすればよい。
【００８６】
また、本実施の形態では、ＢＰＦ４５の出力信号を遅延回路５０より遅延させるようにしているが、このような構成に代えて、又は、このような構成と共に、ＬＰＦ４７の出力信号を位相調整回路に入力させ、その位相を調整するようにしてもよい。また、ＬＰＦ４７の出力信号とＢＰＦ４５の出力信号の位相差を直接求めるようにし、この位相差分だけ遅延回路５０の遅延時間dlyclockを調整するようにしてもよい。
【図面の簡単な説明】
【００８７】
【図１】光ディスクの情報トラックに関する模式的な説明図である。
【図２】光ディスク装置の構成例を示す概略図である。
【図３】受光器構成を示す正面図である。
【図４】受光器構成を示す側面図である。
【図５】Ｉ／Ｖアンプ構成を示す概略回路図である。
【図６】ウォブル信号検出回路等の構成例を示すブロック図である。
【図７】その各部の動作信号例を示す波形図である。
【図８】ウォブル信号検出回路の一部を抜粋して示す概略ブロック図である。
【図９】入出力信号間の位相差と遅延時間との関係を示す特性図である。
【図１０】一部の動作信号例を示す波形図である。
【図１１】位相差検出方式に関する別の実施の形態の構成例を示す概略ブロック図である。
【図１２】本発明の別の実施の形態のウォブル信号検出回路の一部を抜粋して示す概略ブロック図である。
【図１３】関係する信号間の位相関係を示す波形図である。
【図１４】別の実施の形態のウォブル信号検出回路の一部を抜粋して示す概略ブロック図である。
【図１５】従来のウォブル信号検出回路の一部の構成例を示す概略ブロック図である。
【図１６】カットオフ周波ｆｃのばらつきに応じた信号特性を示す波形図である。
【図１７】記録開始位置がずれる様子を示す説明図である。
【図１８】ＲＦ信号波形の様子を示す説明図である。
【図１９】調整動作例を示す波形図である。
【符号の説明】
【００８８】
１      情報記録媒体
２      情報トラック
１０      光ディスク装置
４４      フィルタ回路
４５      帯域通過フィルタ
４６      高域通過フィルタ
４７      低域通過フィルタ
５０      調整手段
６４      調整手段
６５，６４ａ，６５ｂ      位相差検出手段
６６，６６ａ，６６ｂ      振幅比検出手段
６７，６７ａ，６７ｂ      位相差検出手段
【要約】
【課題】フィルタ回路での位相ずれによる記録開始位置のずれ等の悪影響を防止できる光ディスク装置を提供する。
【解決手段】フィルタ回路４４の入力側に情報トラックのウォブリングに基づくウォブル信号Ｓ１を入力させ、その時のＨＰＦ４６＋ＬＰＦ４７経路の入出力信号間の位相差を位相比較器６５により検出し、検出された位相差に応じてＡＤＩＰ情報（同期信号）に同期した記録開始タイミング信号の位相を遅延回路６４により調整することで、フィルタ回路４４における位相ずれの影響を受けることなく、最適な記録開始位置から記録を開始させることができる。
【選択図】    図８
【図１】
0003570683.tif 000002
【図２】
0003570683.tif 000003
【図３】
0003570683.tif 000004
【図４】
0003570683.tif 000005
【図５】
0003570683.tif 000006
【図６】
0003570683.tif 000007
【図７】
0003570683.tif 000008
【図８】
0003570683.tif 000009
【図９】
0003570683.tif 000010
【図１０】
0003570683.tif 000011
【図１１】
0003570683.tif 000012
【図１２】
0003570683.tif 000013
【図１３】
0003570683.tif 000014
【図１４】
0003570683.tif 000015
【図１５】
0003570683.tif 000016
【図１６】
0003570683.tif 000017
【図１７】
0003570683.tif 000018
【図１８】
0003570683.tif 000019
【図１９】
0003570683.tif 000020